(57)【特許請求の範囲】
【請求項１】
変換情報データベースを備えた画面変換装置であって、単位部品抽出部と、関連数値部品検索部と、単位部品変換部とが設けられており、前記単位部品抽出部は変換前単位をキーとして単位部品を抽出し、前記関連数値部品検索部は前記抽出された単位部品のＸ座標、Ｙ座標から最も近傍の数値部品を抽出し、前記抽出した数値部品の入力点番号に該当する前記変換情報データベースの変換後単位を読み込んだ後に、前記単位部品変換部で前記読み込んだ変換後単位に変換することを特徴とする画面変換装置。
【請求項２】
請求項１に記載の画面変換装置によって単位部品の単位を変換することを特徴とする画面変換方法。
【発明の詳細な説明】
【０００１】
【発明の属する技術分野】
この発明は、画面データの単位系または数値系を画面上で自動的に変換する画面変換装置に関するものである。
【０００２】
【従来の技術】
原子力発電や火力発電プラント等の大型プラントシステムでは、各サブシステム、全体システムの各機器の性能、運転状態を表示しているが、それらの性能、運転状態をＣＲＴ画面上でＭＫＳ単位系を使用し、例えばＸＸｋｇ／ｃｍ２、ＸＸｍｍＨｇのように表示を行っていたが、近時法令によりＭＫＳ単位系のＳＩ単位系への切り換えが鋭意進められている。図１０に従来の単位系変換作業の構成図を示す。図において、１は変換前単位部品、４は変換後単位部品、５は変換前数値部品、８は変換後数値部品、１３は単位変換作業、１７は桁数変換作業を示す。単位変換作業１３はユーザから示された仕様書に基づき単位部品（変換前）１から変換対象となる部品を画面から抽出し、例えばＸＸｋｇ／ｃｍ２をＸＸＭＰａのように変換後の単位に修正し、単位部品（変換後）４に格納している。また、桁数変換作業１７では、同じく仕様書に基づき数値部品（変化前）５から変換対象となる部品を画面から抽出し、例えば１２．３４（ＸＸ．ＸＸ）を１．２３４（Ｘ．ＸＸ）のように変換後の桁数に修正し、数値部品（変換後）８に格納している。
このような従来の単位変更作業１３や桁数変更作業１７はすべて手作業で実施しているために、画面データの部品を個別に抽出して修正を行っていて単位系変更に膨大な作業を必要としていた。
【０００３】
【発明が解決しようとする課題】
以上のように従来の単位、桁数変更作業は大規模プラントの膨大な機器部品に対して個別手作業で実施しているため、多くの人員と時間を費やすとともに、特に数値系変更に関して誤りの有無チェックに多大の時間、費用が必要であった。
この発明は、前記のような問題点を解決するためになされたものであり、画面の単位系変更時に単位部品の変更を自動で一括して変換することができると共に、付随して発生する数値部品の桁数変更もあわせて変換することができる装置および方法を提供することを目的とする。
【０００４】
【課題を解決するための手段】
この発明に係る画面変換装置および方法は、単位部品抽出部は変換前単位をキーとして単位部品を抽出し、関連部品検索部は抽出された単位部品のＸ、Ｙ座標から最も近傍の数値部品を抽出し、この数値部品の入力点番号に該当する変換情報データベースの変換後単位を読み込んだ後に、単位部品変換部が前記読み込んだ変換後単位に変換するものである。
【０００５】
【発明の実施の形態】
実施の形態１．
以下、この発明の実施の形態１による画面変換装置を図によって説明する。図１は実施の形態１の構成図、図２は単位部品の構造を示し、図３は実施の形態１の処理フローを示す。図において、２は単位部品抽出部、３は単位部品変換部である。
次に動作について説明する。単位部品抽出部２は、変換対象の単位を有する単位部品、例えばＸＸｋｇ／ｃｍ２の単位部品を変換前単位部品１から検索する。検索の結果、該当した単位部品の単位を単位部品変換部３において、例えばＸＸＭＰａのように変換後の単位に書き換え、変換後単位部品４に格納する。
なお、この実施の形態１では前記動作に示したように変換対象の単位部品を例えばＸＸｋｇ／ｃｍ２からＸＸＭＰａのように単位系のみを変換するものであり、前記例のＸＸに示す数値系の変換は行われない。
以上述べたように、この実施の形態１では、変換対象の単位部品の単位を単位部品変換部で仕様書に示された単位に書き換える画面変換装置であるので、手作業による繁雑さをなくし、作業効率が向上する。
【０００６】
実施の形態２．
図４〜図７によって、実施の形態２の画面変換装置を説明する。図４は実施の形態２の構成図、図５は数値部品の構造を示し、図６は変換情報データベースの構造を示す。また、図７は処理フローを示す。図において６は数値部品抽出部、７は数値部品変換部、８は変換後の数値部品、９は変換情報データベースである。次に動作について説明する。数値部品抽出部６は変換情報データベース９つまり図６に示した変換情報データベース構造図の入力点番号をキーとして、該当する入力点番号を有する図５に示した数値部品の構造図中の数値部品を検索する。数値部品変換部７は検索の結果該当した数値部品の桁数を、変換情報データベース９、すなわち図６に示す変換情報データベースの構造図に示される変換行桁数に書き換え、変換後数値部品８に格納する。なお、この実施の形態２では前記動作に示したように、変換対象の数値部品を例えばＸＸ．ＸＸｋｇ／ｃｍ２からＸ．ＸＸＸｋｇ／ｃｍ２のように数値系のみを変換するものであり、前記例のｋｇ／ｃｍ２に示す単位系の変換は行われない。
以上述べたように、この実施の形態２では変換対象の数値部品の数値を数値部品変換部で変換、書き換える画面変換装置であるので、手作業による誤りを防止でき、かつ作業効率が向上する。
【０００７】
実施の形態３．
図８、図９によって実施の形態３の画面変換装置を説明する。
図８は実施の形態３の構成図であり、図９は処理フローを示す。図において、１０は関連数値部品検索部である。
次に動作について説明する。単位部品抽出部２は変換情報データベース９つまり図６に示した変換情報データベース構造図の変換前単位をキーとして、該当する変換前単位部品１を検索する。関連数値部品検索部１０は、検索の結果該当する図２に示した単位部品の構造図中の単位部品のＸ座標、Ｙ座標から最も近傍の数値部品を画面データから抽出する。
次に前記抽出した数値部品の入力点番号に該当する図６に示す変換情報データベースの変換後単位を読み込み、単位部品変換部３は前記読み込んだ変換後単位に書き換え単位部品４に格納する。
この実施の形態３は、本発明の実施の形態１に示した単位部品の単位を単位部品変換部によって変換される画面変換装置の補完を行うものである。つまり、実施の形態１において、単位系の変換する場合、例えばＡ機器のＡ圧力が１５０ｋｇ／ｃｍ２、Ｂ機器のＢ圧力が１ｋｇ／ｃｍ２と示されていて、これら複数の単位を変換する際、仕様書ではＡ圧力はＭＰａ表示、Ｂ圧力はＫＰａ表示とするように示されているにもかかわらず、前記Ａ圧力、Ｂ圧力共に、例えばＫＰａと変換される。
従って、実施の形態１では広範囲の単位を有する単位部品を一律に変換する場合には、変換後に仕様書の表示との照合チェックが必要であった。この実施の形態３では、図６に示した変換情報データベース９を備えており、この変換情報データベース９の変換後単位を読み込んだ後に単位部品変換部３にて単位を変換しているので、照合チェックの手間が省けるという効果がある。
なお、単位部品のＸ、Ｙ座標から最も近傍する数値部品を画面データから抽出する際の、前記最も近傍とは、例えば１０ｋｇ／ｃｍ２という数値単位が、画面上では例えば１０ｋｇ／ｃｍ２と横並びに記載されているものもあれば、単位ｋｇ／ｃｍ２が数値１０の上部や下部に記載されているケースもあり、最も近傍の数値部品を抽出することでそれらの記載の仕方がある場合にでも単位の変換が可能としている。なお、この実施の形態３によって前記実施の形態１の価値が下がるものではなく、狭い範囲の単位系の変換には実施の形態１で充分の作用、効果を奏するものである。
【０００８】
【発明の効果】
この発明は以上述べたように構成されているので、以下に示すような効果を奏する。
【０００９】
単位部品抽出部は変換前単位をキーとして単位部品を抽出し、関連数値部品検索部は前記抽出された単位部品のＸ、Ｙ座標の最も近傍の数値部品を抽出し、この抽出した数値部品の入力点番号に該当する変換情報データベースの変換後単位を読み込んだ後に、単位部品変換部が前記読み込んだ変換後単位に変換するので、単位変換が一括して自動化され変換作業の精度が向上し、作業効率が向上するという秀れた効果を奏する。
【図面の簡単な説明】
【図１】  この発明の実施の形態１の構成を示す図である。
【図２】  この発明の実施の形態１の単位部品の構造を示す図である。
【図３】  この発明の実施の形態１の処理フローを示す図である。
【図４】  この発明の実施の形態２の構成を示す図である。
【図５】  この発明の実施の形態２の数値部品の構造を示す図である。
【図６】  この発明の実施の形態２の変換情報データベースの構造を示す図である。
【図７】  この発明の実施の形態２の処理フローを示す図である。
【図８】  この発明の実施の形態３の構成を示す図である。
【図９】  この発明の実施の形態３の処理フローを示す図である。
【図１０】  従来の画面変換作業の構成を示す図である。
【符号の説明】
１  変換前単位部品、２  単位部品抽出部、３  単位部品変換部、
４  変換後単位部品、５  変換前数値部品、６  数値部品抽出部、７  数値部品変換部、
８  変換後数値部品、９  変換情報データベース。
【図１】
0003729755.tif 000002
【図２】
0003729755.tif 000003
【図３】
0003729755.tif 000004
【図４】
0003729755.tif 000005
【図５】
0003729755.tif 000006
【図６】
0003729755.tif 000007
【図７】
0003729755.tif 000008
【図８】
0003729755.tif 000009
【図９】
0003729755.tif 000010
【図１０】
0003729755.tif 000011